(57)【要約】【課題】 人工ニューラルネットワークを用いて数年の後に生活習慣病を発症する可能性が有るか否かを予測する。【解決手段】 入力層と少なくとも一層の中間層と出力層を有する三層ネットワークからなるニューラルネットワークを少なくとも年齢、体格指数(BMI)、拡張期血圧(DBP)、HDLコレステロール、LDLコレステロール、HOMA-IRの6つの項目からなる学習用のパターンによって生活習慣病の発症の可能性を学習させ、健康診断等により得られた診療データから数年の後に生活習慣病を発症する可能性が有るか否かを予測する。【選択図】 図１
2012064087.tif 000002
【特許請求の範囲】
【請求項１】
診療データから生活習慣病の発症の可能性を予測するニューラルネットワークを備えた診断予測装置であって、
前記装置は入力層と少なくとも一層の中間層と出力層を有するニューラルネットワークを備え、
前記ニューラルネットワークは、少なくとも年齢、体格指数(BMI)、拡張期血圧(DBP)、HDLコレステロール、LDLコレステロール、インスリン抵抗性指数（HOMA-IR）の6つの項目からなる学習用のパターンによって生活習慣病の発症の可能性を学習したものであり、
前記装置は、前記学習用のパターンの項目に対応するデータを含む診療データを入力する入力手段を備え、
前記入力手段から入力された診療データから生活習慣病の発症の可能性を予測することを特徴とするニューラルネットワークを備えた診断予測装置。
【請求項２】
請求項1のニューラルネットワークを備えた診断予測装置であって、
学習項目は更に収縮期血圧、血漿グルコース、中性脂肪、肝機能(AST, IU/L)、肝機能(ALT, IU/L)、HMW-アディポネクチン、総アディポネクチン、グリコアルブミン、総コレステロール、遊離脂肪酸、インスリン、喫煙の有無を示すデータの少なくとも一つを含むニューラルネットワークを備えた診断予測装置。
【請求項３】
請求項1または請求項2記載のニューラルネットワークを備えた診断予測装置であって、
前記生活習慣病はメタボリックシンドローム、耐糖能異常、高血圧、脂質異常症の1つであるであることを特徴とするニューラルネットワークを備えた診断予測装置。
【請求項４】
請求項1または請求項2記載のニューラルネットワークを備えた診断予測装置であって、
学習項目は更に高分子量アディポネクチン、総アディポネクチン、インスリン、グリコアルブミン、および遊離脂肪酸を含み、
前記装置は、診療データにおける前記学習用のパターンの項目に対応するデータの入力手段と、前記入力手段から入力された診療データからメタボリックシンドロームの発症の可能性を推定することを特徴とするニューラルネットワークを備えた診断予測装置。
【請求項５】
請求項1または請求項2記載のニューラルネットワークを備えた診断予測装置であって、
学習項目は更に血漿グルコースを含み、
前記装置は、診療データにおける前記学習用のパターンの項目に対応するデータの入力手段と、前記入力手段から入力された診療データから耐糖能異常の発症の可能性を推定することを特徴とするニューラルネットワークを備えた診断予測装置。
【請求項６】
請求項1または請求項2記載のニューラルネットワークを備えた診断予測装置であって、
学習項目は更に血清中性脂肪を含み、
前記装置は、診療データにおける前記学習用のパターンの項目に対応するデータの入力手段と、前記入力手段から入力された診療データから脂質異常症の発症の可能性を推定することを特徴とするニューラルネットワークを備えた診断予測装置。
【請求項７】
請求項1または請求項６記載のニューラルネットワークを備えた診断予測装置であって、
前記ニューラルネットワークは構成が異なる複数のニューラルネットワークからなり、
前記複数のニューラルネットワークは同一の学習用のパターンによって生活習慣病の発症の可能性を学習したものであり、
前記入力手段から入力された診療データを前記複数のニューラルネットワークに入力し、前記複数のニューラルネットワークの予測結果に基づいて生活習慣病の発症確率を予測することを特徴とするニューラルネットワークを備えた診断予測装置。
【請求項８】
入力層と少なくとも一層の中間層と出力層を有するニューラルネットワークを用いて診療データから生活習慣病の発症の可能性を予測するニューラルネットワークの制御方法であって、
前記方法は、
前記ニューラルネットワークを学習用のパターンにより学習するステップと、
前記学習するステップにより学習されたニューラルネットワークに診療データを入力して生活習慣病の発症の可能性を予測するステップからなり、
前記学習用のパターン及び上記診療データは少なくとも年齢、体格指数(BMI)、拡張期血圧(DBP)、HDLコレステロール、LDLコレステロール、HOMA-IRの６つの項目を含むことを特徴とするニューラルネットワークの制御方法。
【請求項９】
コンピュータに入力層と少なくとも一層の中間層と出力層を有するニューラルネットワークの機能を実現するステップと、
前記ニューラルネットワークを学習用のパターンにより学習するステップと、
前記学習するステップにより学習されたニューラルネットワークに診療データを入力して生活習慣病の発症の可能性を予測するステップからなり、
前記学習用のパターン及び上記診療データは少なくとも年齢、体格指数(BMI)、拡張期血圧(DBP)、HDLコレステロール、LDLコレステロール、HOMA-IRの６つの項目を含むことを特徴とするコンピュータプログラム。
【発明の詳細な説明】
【技術分野】
【０００１】
本発明は、医療における診断の補助装置とその制御方法及びプログラムに関するものであり、非線形予測技術、特にニューラルネットワークを用いて、健診者の健診データ等から生活習慣病に罹患する可能性を診断し予測する装置と方法及びプログラムに関するものである。
【０００２】
病気の診断データあるいはプラントの測定データから病名あるいは故障の原因を推測する、あるいは今後の推移を予測する手段としてニューラルネットワークが利用されている。ニューラルネットワークは複数のニューロン回路により構成される。図１２(ａ)はニューロン回路の例示である。ニューロン回路は多入力（X1,X2,・・・,Xn）１出力(y)の回路であり、入力111(X1,X2,・・・,Xn)の各々には重み係数113（W1,W2,・・・,Wn）が対応づけられており、重み演算部112により、入力(Xi)と重み係数（Wi)の積が求められる。各演算部112の演算結果は加算回路114により加算され、シグモイド関数、ヘビサイド関数等の閾値関数に従う正規化手段115により正規化され、出力116となる。
【０００３】
図１２(ｂ)はニューラルネットワークの学習を示す図である。例えば「風邪」と認識させたい症状のパターンと「風邪」と認識させたくない症状のパターンを学習パターン161「A1,A2,・・・,AP」として多数用意する。また、各学習パターンには正解の出力、即ち「風邪」あるいは「風邪ではない」を表す「AZ」が正解データ162として付加されている。
学習を開始する前のニューロン回路の各重み係数(Wi)は所定の値に初期化されている。学習パターン161の［A1］をニューラルネットワークの入力部X1に、［A2］を入力部X2と、学習パターン161に各要素をニューラルネットワークの対応する入力部に入力する。入力された学習パターン161の各要素は中間層152と出力層154のニューロン回路により順次演算され、出力端155に出力［Z］を出力する。
【０００４】
比較回路163は出力端155からの出力［Z］と学習パターン161に付加されている正解データ［AZ］と比較する。重み変更手段1６4は出力［Z］と正解データ［AZ］が等しくなるように、予め定められた方法に従って各重み係数(Wi)の値を変更する。準備した全ての学習パターンに対して正しい値を出力する重み係数(Wi)を決定して学習を終了する。学習が終了したニューラルネットワークに未知の症状のパターンが入力されると、当該症状のパターン要素を各ニューロン回路の重み係数に従って演算し、「風邪」に該当するか否かを示す情報を「1」あるいは「0」として出力層154から出力する。ニューラルネットワークとその学習に関する公知文献には以下のものが存在する。
【先行技術文献】
【特許文献】
【０００５】
【特許文献１】特開2005−319301号公報
【特許文献２】特開2005−293241号公報
【発明の概要】
【発明が解決しようとする課題】
【０００６】
推論回路には多重ロジスティック回帰(MLR)によるものと、人工ニューラルネットワーク(Artificial Neural Network ： ANN)によるものが知られている。MLRによる分析は重要な項目(因子)を検知する強力な方法である。しかし、MLRは原因と結果の間に線形の関係(ロジスティック回帰)が必要であり、原因と結果の間に非線形の関係が存在する場合、MLRは原因から正しい結果を推論することが困難である。
人工ニューラルネットワーク(ANN)システムは人間の脳の処理能力をシミュレートするものであり、入力と出力の間に存在する関連性が学習されると、与えられた未知の入力から正しい出力を予測することが可能である。
ANNは予測値を求める時に非線形の表現を使用するため、MLRに存在する非線形の問題の悪影響を受けず、個々の入力に対して合理的な予測を提供することが可能である。ANNはいくつかの分野でMLRより良い予測結果を出力することが知られており、近年ANNを医療分野で使用することが注目されている。例えば、下部消化管出血の再発、経皮的内視鏡胃瘻造設術後の結果、慢性Ｃ型肝炎の治療効果の予測において古典的な線形の推定方法より優れた結果を出している。
【０００７】
日本において、西洋化された食生活の導入と身体活動の減少により特徴付けられた生活様式の広まりに伴い、腹部肥満、２型糖尿病、高血圧症、脂質異常症、および動脈硬化性病変のような生活習慣病が増加し、社会問題になってきている。これらの病的状態の多くは、内臓脂肪の蓄積やインスリン抵抗性と同時に存在するため、これらの病気が一つにまとめられ、「シンドロームＸ(syndrome X)」、「死の四重奏」、「インスリン抵抗性症候群」、「内臓肥満型症候群」と呼ばれている。最近では、この症候群はメタボリックシンドローム(metabolic syndrome、MetS)と呼ばれるようになった。MetSに含まれる上記の病態は、アテローム性動脈硬化症や心臓血管疾患の重要な危険因子であり、これらの病態を同時に有していることは、心臓血管の疾患のリスクを付加的にではなく、相乗的に高めることが知られている。
【０００８】
アディポネクチン(Adiponectin)は、抗糖尿病、抗動脈硬化、抗炎症性サイトカインと認められている。発明者および他のグループは、血清脂質濃度とインスリン抵抗性は血清アディポネクチン濃度と負の相関関係を示すことを報告している。また、発明者の報告を含むいくつかの報告により、血清高分子量アディポネクチン(high-molecular-weight (HMW) adiponectin)の測定は総アディポネクチン(total adiponectin)の測定より有用なことを示している。特に、薬物治療を受けている２型糖尿病患者では、アディポネクチンのHMW/totalの比率が単に血清総アディポネクチン濃度を測定するより有用であることが報告されている。
【課題を解決するための手段】
【０００９】
本発明の発明者はMetS等の生活習慣病の発症予測にはインスリン抵抗性指数(HOMA-IR)が有用であること報告した。また、発明者は生活習慣病の発症とアディポネクチンの値の間に相関があることを見いだした。しかし、これらの項目は一般的な健康診断(健診)では扱われていない項目であり、これらの項目が生活習慣病の発症の予測にどのように関与するかを検証した事例は存在しない。
本発明の目的は、ANNシステムにより、幾つかの測定項目からなる臨床データから、何年か後、例えば6年後にメタボリックシンドローム等の生活習慣病を発症するか否かの予測を可能とするものであり、従来のMLRによる分析より精度の高い予測を可能とする装置と方法及びプログラムを提供するものである。
【００１０】
発明者は一般的な健診によって得られたデータに、アディポネクチンの値等、一般的な健診では測定されない項目を加えた診療データが生活習慣病の発症の予測にどのように関与するかを以下の方法により検証した。
(1)：一般的な健診により得られる測定項目と、アディポネクチンの値等の他の項目から生活習慣病の発症に関与すると思われる18の項目を選択。
(2)：健診者毎の診療データを収集し、学習用のデータと検証用のデータを生成。
(3)：(1)で選択された全ての項目を含む学習用のデータにより、多重ロジスティック回帰(MLR)と人工ニューラルネットワーク(ANN)の学習を行う。
(4)：学習が完了したMLRとANNに全ての項目を含む検証用のデータを入力し、生活習慣病を発症するか否かを予測する。
(5)：(4)の予測結果と実際の診療データに基づいて判定した結果とを比較し、予測の感度(Sensitivity：陽性と判定されるべきものを正しく陽性と判定する確率)と特異度(Specificity：陰性と判定されるべきものを正しく陰性と判定する確率)を求める。
(6)：1つあるいは複数の項目を除外した学習用のデータと検証用のデータを生成し、学習用のデータによりMLRとANNの学習を行う。
(7)：学習が完了したMLRとANNに(６)で生成した検証用のデータを入力し、生活習慣病を発症するか否かを予測する。
(8)：(7)の予測結果と実際の健診により得られたデータとを比較し、予測結果の感度と特異度を求める。
(9)：(6)〜(8)を全ての項目及び重要と思われる項目の組み合わせに対して実行する。
(10)：(5)で得られた予測結果の感度と特異度と、(9)で得られた１つあるいは複数の項目を除外した時の予測結果の感度と特異度を比較し、各項目及び項目の組み合わせが予測結果の精度に寄与する度合いを検証する。
【００１１】
上記の検証の結果以下のことが判った。
(1)：生活習慣病の予測にはANNが優れている。
(2)生活習慣病の発症予測には図３に示される18の項目(因子)全てが寄与するが、特に、体格指数(BMI)、年齢、拡張期血圧(DBP)、HDLコレステロール、LDLコレステロール、インスリン抵抗性指数（HOMA-IR）の６項目が重要である。
(3)：メタボリックシンドロームの発症予測には、高分子量アディポネクチン、総アディポネクチン、インスリン、グリコアルブミン、および遊離脂肪酸(FFA)の各項目が関与している。
(4)：耐糖能異常の発症予測には、血漿グルコースおよび(3)で挙げた６項目が関与している。
(5)：脂質異常症の発症予測には、中性脂肪および(3)で挙げた６項目が関与している。
【図面の簡単な説明】
【００１２】
【図１】本発明に用いたニューラルネットワークシステムの図
【図２】本発明の検討に用いた健診データの特性を示す図
【図３】本発明において用いた１８の診療項目を示す図
【図４】健診データを多重ロジスティック回帰による分析した結果の図
【図５】学習用データセットと検証用のデータセットにおける健診者の特性を示す図
【図６】１８の診療項目を用いた予測の感度と特異度を示す図
【図７】１８の診療項目の感度を示す図
【図８−１】メタボリックシンドロームの発症予測の感度と特異度を示す図
【図８−２】メタボリックシンドロームの発症予測の感度と特異度を示す図
【図９】耐糖能異常の予測の感度と特異度を示す図
【図１０】高血圧の発症予測の感度と特異度を示す図
【図１１】脂質異常症の発症予測の感度と特異度を示す図
【図１２】従来のニューラルネットワークシステムの図
【発明を実施するための形態】
【００１３】
［ANNシステム］
ANNには、重層的なパーセプトロン(MLP)、放射状による関数ネットワーク(RBF)、および、リニアネットワーク(LIN)の3つのタイプのネットワークが知られている。MLPは図１２に示されるように、1つの入力層と、1つ以上の中間層と、1つの出力層の各層から成り、出力層の中の1つのノードが結果を分類するために使用される。本実施例では100000個のMLPネットワークを生成した後、予測精度の高いネットワークを所定数選択して生活習慣病の発症確率の予測に用いた。
【００１４】
図１は本発明において生活習慣病の発症確率の予測に用いたニューラルネットワークシステムの図である。ニューラルネットワークの構成は、入力層のノード数、中間層の層数、各中間層を構成するノード数、各重み係数の初期値、学習の方法(ノード間の伝搬関数)等の構成要素により決まり、構成要素の差異により多様な構成のニューラルネットワークを生成することが可能である。構成要素が異なるニューラルネットワークであっても、それらに同一の学習を行うことにより、多くの未知のパターンに対して同一の判定結果を出力するニューラルネットワークとすることが可能である。しかし、未知のパターンが「YES」と判定されるパターン領域と「NO」と判定されるパターン領域の境界の近傍に位置すると、構成要素の異なる複数のニューラルネットワークの一部が「YES」と判定し、他が「NO」と判定する場合がある。本発明で使用したニューラルネットワークシステムは、ニューラルネットワークの上記特性を利用するものであり、判定結果の確からしさ、例えば、疾患を発症する確率を、「YES」と判定したニューラルネットワークの割合により求めるものである。
図１の110-1ないし110-Mは、構成要素は異なるが、生活習慣病の発症に関して同一の学習を行ったM個のニューラルネットワークである。判定すべき診療データ(判定パターン)100をM個のニューラルネットワーク110-1ないし110-Mに並列に入力する。各ニューラルネットワークは生活習慣病の発症の可能性の有無を「YES」または「NO」により出力し、発症確率算出部111に与える。発症確率算出部111はM個の入力の内の「YES」の割合を算出し、生活習慣病が発症する確率112として出力する。
【００１５】
［診断テスト］
本発明を検証するため、基準日に30〜59歳であり、2000年と2006年の両方でその年の健康診断を受診した慶應義塾大学の410人の男性の診療データを評価した。なお、健診日に、MetS、内分泌疾患、重大な腎臓疾病あるいは肝臓疾病の罹患者、および糖尿病の薬物治療を受けている者は除外した。26人がスタチンを服用していたが、何れの被験者もニコチン酸を服用していなかった。
収縮期血圧(SBP)、拡張期血圧(DBP)および心拍数は、午前9時ごろ少なくとも5分間着席して休止した対象者から自動電子血圧計（BP-103iII；日本コーリン、愛知県小牧市）を用いて2回測定した。
身長、体重、空腹時血糖(FPG)、血清中性脂肪(TG)、HDL-コレステロール、LDL-コレステロール、総コレステロール(TC)、グリコアルブミン予測インスリン、高分子量アディポネクチン(HMW-アディポネクチン)、および総アディポネクチン濃度は、夜間の絶食の後の午前9ごろ測定した。
体格指数(BMI)は体重(Kg)を身長(m)の２乗で除算したものである。血糖と血中脂質は通常の自動計測器によって分析した。血中インスリンは市販のキット（東ソー、東京）を用い、酵素免疫法にて測定した。日内変動と日差変動の係数は各々、2.9〜4.6%と4.5〜7.0%であった。インスリン抵抗性指数(HOMA-IR)はホメオスタシス・モデル評価(homeostasis model assessment)を用いて計算した。
血清総アディポネクチン濃度は、酵素免疫吸着法(ELISA法)(アディポネクチン ELISAキット、大塚製薬、東京)を使用して測定した。日内変動と日差変動の係数は<10%であった。また、高分子量アディポネクチンは、市販のキットを使用して測定した。HMW-アディポネクチンのためのELISAシステムは、たんぱく質を変性させる工程を必要とせず、また、使用されるモノクローナル抗体(IH7)は高分子量アディポネクチンに対して特異的に反応することが報告されている。
稀釈曲線は標準曲線と平行であった。この方法の日内変動と日差変動の係数は各々、2.4〜3.0%と4.2〜5.1%であった。
【００１６】
［妥当性の確認］
バックプロパゲーションアルゴリズムによる学習プロセスを簡素化するために学習用のデータセットを使用し、アルゴリズムの進捗の検証のために検証用のデータセットを選択して使用した。
［統計分析］
統計分析は、Windows(商標)用のStatView(商標)(version5.0-J、SAS社、Cary、North Carolina)を使用して行った。P<0.05を統計学的に有意と考えた。血中中性脂肪、HOMA-IR、高分子量アディポネクチン、総アディポネクチン濃度は、それらの対数変換後に正規分布を示すため、これらのデータの対数を分析に使用した。2006年に健康診断を受けた慶應義塾大学の36〜65才の410人の男性受診者のウエスト周りとBMIの間の相関性が単純回帰分析によって決定された。
【００１７】
［メタボリックシンドローム］
生活習慣病の予測に関する本発明を、6年後にメタボリックシンドローム(MetS)を発症するか否かの予測に適用した例について述べる。
BMI≧24.3kg/m2に加えて、少なくとも次の3つの代謝異常の内の2つ以上が存在した時、MetSであるとした。なお、2000年の健診では臍周囲径（腹囲）の測定が行なわれていなかったため、日本人の診断の修正基準に基づいて変更して定義した。ウエスト周りと2006年のBMI(R2=0.709、p<0.0001、n=415)の相関図を使用すると、腹囲85cmは、BMIの24.3kg/m2に相当する。
(1)脂質異常：血清中性脂肪(TG)≧150mg/dlおよび／またはHDLコレステロール<40mg/dl、または脂質低下薬による治療中のいずれか。
(2)高血圧：収縮期血圧≧130mmHgおよび／または拡張期血圧≧85mmHg、または降圧薬による治療中のいずれか。
(3)高血糖：空腹時血糖≧110mg/dl、または抗糖尿病薬による治療中のいずれか。
【００１８】
410人の日本人の男性(平均年齢は57.6年;年齢層は30-59年)の健康診断の結果が2000年から2006年まで追跡され(図2)、410人のうち27人(6.6%)が6年後にMetSと診断された。
【００１９】
［入力項目と出力］
図３はMLRとANN分析を使用して各健診者の６年後の状況を予測するため使用した入力項目と出力を示すものであり、入力項目のX1〜X18として以下の診療データを使用した。
X1：年齢(歳)
X2：体格指数(BMI：Kg/m2)
X3：収縮期血圧(SBP：mmHg)
X4：拡張期血圧(DBP：mmHg)
X5：血漿グルコース(mg/dl)
X6：中性脂肪(mg/dL)
X7：高密度リポ蛋白−コレステロール(mg/dL)
X8：低密度リポ蛋白−コレステロール(mg/dL)
X9：血清AST(IU/L)
X10：血清ALT(IU/L)
X11：高分子量(HMW)アディポネクチン(μ\ochg/mL)
X12：総(total)アディポネクチン(μ\ochg/mL)
X13：グリコアルブミン(%)
X14：総コレステロール(mg/dL)
X15：遊離脂肪酸(mEq/L)
X16：インスリン(μ\ochU/mL)
X17：インスリン抵抗指数(HOMA-IR)
X18：喫煙(0＝なし、1＝あり)
【００２０】
X1とX2はそれぞれ健診者の年齢と体格指数(BMI)を表している。X3とX4はそれぞれ収縮期血圧と拡張期血圧を表している。X5−X17は検査所見を表し、X5は血漿グルコース、X6は中性脂肪、X7はHDLコレステロール、X8はLDLコレステロール、X9は血清AST、X10は血清ALT、X11は高分子量(HMW)アディポネクチン、X12は総コレステロール、X13はグリコアルブミン、X14は総アディポネクチン、X15は遊離脂肪酸、X16はインスリン、X17はHOMA-IRである。また、X18は喫煙の有無を表している。
出力は2006年にMetSを発症するが否かである。
【００２１】
図４は多重ロジスティック回帰(MLR)による分析の結果である。同図からメタボリックシンドロームの発生確率の予測には、項目X2(BMI)が最も高い有意性(p=0.0002)を有していることがわかる。また、項目X7(HDL-C)とX4(DBP)は有効な項目であるが、統計的には有意ではなかった(それぞれp=0.0505と0.0648)。他の項目は、MetSの発症にはほとんど影響しないとする結果になっている。
【００２２】
前述の１６の項目を用いて、MLRとANNにより予測を行った。予測に当たり、全体の診療データを学習用のデータセット(n=246)と検証用のデータセット(n=164)にランダムに分割した。図５に示されるように、すべての項目において学習用のデータセットと検証用のデータセットの間の有意な差は存在しなかった。
【００２３】
図６(ａ)はMLRとANNにより得られた６年後の発症予測と、６年後の診療データに基づいて判定された発症／非発症の結果との差を感度と特異度により示すものである。同図に示されるように、MLRとANNの特異度は各々0.95と0.91であり、大きな差は認められない。しかし、MLRの感度は0.27であるのに対してANNの感度は0.93であり、ANNの精度が高い。
ANNでは感度と特異度の値が類似している。この結果は、ANNを使用することにより、利用価値のある予測を行うことが可能であることを示している。
訓練データと確認データの組み合わせを変更して更に4回の検証を行った。図６(ｂ)に各検証の感度と特異度の数値が示されているが、全ての場合においてANNの感度はMLRの感度より著しく大きかった(p<0.005)。
【００２４】
ANNは有用なモデルであるが、非線形の方法でデータを処理するため、推論のネットワーク・ロジックを単純な要素に分割することができない問題がある。この問題を扱うために感度分析(SA)を使用して項目の重要度を調べた。
SAはテスト項目(Xtest)を除いた場合に予測結果の確度がどのように変わるかを測定するものである。値が「1」以上のXtestは予測を改善することを示し、値が「1」未満の項目は予測結果を改善しないことを示している。全てのニューラルネットワークを分析して平均値と標準偏差を確認した。
【００２５】
図７に感度分析(SA)の結果を示す。分析結果からBMI(X2)が最も重要な項目であること認識される。また、MLR分析(図４)では重要な関係を持っていなかった、年齢(X1)、DBP(X4)、HDLコレステロール(X7)、LDLコレステロール(X8)、HOMA-IR(X17)の５つの項目が高い感度を示している。これはBMI以外の要素は６年後のMetSの発症と非線形の関係があることを示している。上記結果から、年齢(X1)、BMI(X2)、DBP(X4)、HDLコレステロール(X7)、LDLコレステロール(X8)、HOMA-IR(X17)の６つの項目がMetSの発症予測に重要であることが見いだされた。
【００２６】
図８−１は、図３に示される１８項目の全てを用いてANNの学習と検証を行って得られた感度と特異度と、前記の６項目を除外したデータを用いてANNの学習と検証を行って得られた感度と特異度を示すものである。
(１)に示される様に、全項目を用いた場合の感度と特異度は0.96と0.91であるのに対して、(２)に示される６項目を除外した場合の感度と特異度は0.88と0.84に低下している。当該結果はMetSの予測に、年齢、BMI、DBP、HDLコレステロール、LDLコレステロール、HOMA-IRの６項目が重要であることを示している。
【００２７】
次にメタボリックシンドロームの発症予測に寄与していると思われる他の項目を除外したデータによりANNの学習と検証を行い、除去した項目の感度と特異度を検証した。図８−２は、HOMA-IR、高分子量アディポネクチン、総アディポネクチン、インスリン、グリコアルブミン、および遊離脂肪酸(FFA)の第2の項目のグループを除外した場合の感度と特異度である。当該項目を除去した感度は0.78であり、図８−１に示される、全ての項目を含むデータにより検証した感度0.96より大きく低下している。この結果から、MetSの発症の予測に当該項目が寄与していることが判る。
【００２８】
メタボリックシンドローム(MetS)を発症する危険因子に関して多くの報告が存在する。しかし、疫学的な研究および医学的統計に由来したデータは、必ずしも個人レベルでMetSの発症を正確に予測することが可能とは言えない。上記の検証の結果から、ANNは個人の予測に良い結果を出していることが判る。図４に示されるように、MLRは特徴的な項目を見つけ、BMIや血清HDLコレステロールのような有意な要素を特定することに有用である。しかし、MLRは感度が非常に低く、本発明で採用した項目を使用する予測には適切ではなかった。原因と結果の間に非線形の相関性が存在する場合、従来のMLRに対してANNは理論的な長所を有していることが見いだされた。
【００２９】
［耐糖能異常］
図９はANNを用いて生活習慣病の一つである耐糖能異常の発症を予測した場合の感度と特異度を示すものである。先のMetSの学習と検証に用いた各診療データの被験者が、6年後に耐糖能異常と診断されたか否かを示すデータを正解データとし、ANNの学習と検証を行った。
図９の(１)に示される様に、図３に示される１８の全ての項目を用いて学習と検証を行った場合の感度と特異度は、0.75と0.85である。また、図９の(２)に示される様に、年齢、BMI、DBP、HDLコレステロール、LDLコレステロール、HOMA-IRの６項目を除外して学習と検証を行った場合の感度と特異度は0.73と0.80である。当該結果から前記６項目が耐糖能異常の発症の予測に寄与していることが判る。
図９の(３)は、前記６項目と血漿グルコース(Glc：X5)を除外して学習と検証を行った場合の感度と特異度である。当該検証におれる感度と特異度は0.52と0.65であり、血漿グルコース(Glc)が耐糖能異常の発症の予測に寄与していることが判る。
【００３０】
［高血圧］
図１０はANNを用いて生活習慣病の一つである高血圧の発症を予測した場合の感度と特異度を示すものである。先のMetSの学習と検証に用いた各診療データの被験者が、6年後に高血圧と診断されたか否かを示すデータを正解データとし、ANNの学習と検証を行った。
図１０の(１)に示される様に、図３に示される１８項目の全てを用いて学習と検証を行った場合の感度と特異度は0.84と0.76である。また、図１０の(２)に示される様に、年齢、BMI、DBP、HDLコレステロール、LDLコレステロール、HOMA-IRの６項目を除外して学習と検証を行った場合の感度と特異度は0.66と0.63である。当該データから前記６項目が高血圧の発症の予測に寄与していることが判る。
【００３１】
［脂質異常症］
図１１はANNを用いて生活習慣病の一つである脂質異常症の発症を予測した場合の感度と特異度を示すものである。先のMetSの学習と検証に用いた各診療データの被験者が、6年後に脂質異常症と診断されたか否かを示すデータを正解データとし、ANNの学習と検証を行った。
図１１の(１)に示される様に、図３に示される１８項目の全てを用いて学習と検証を行った場合の感度と特異度は0.68と0.76である。また、図１１の(２)に示される様に、年齢、BMI、DBP、HDLコレステロール、LDLコレステロール、HOMA-IRの６項目を除外して学習と検証を行った場合の感度と特異度は0.69と0.70である。当該データから前記６項目が脂質異常症の発症の予測、特に特異度の値に影響していることが判る。
図１１の(３)は、前記６項目と中性脂肪(TG：X6)を除外して学習と検証を行った場合の感度と特異度である。当該検証における感度と特異度は0.62と0.66であり、中性脂肪(TG)が脂質異常症の発症の予測に寄与していることが判る。
【産業上の利用可能性】
【００３２】
本発明の検証結果はANNが健診者個々人の生活習慣病の発症の可能性を予測する有効な方法であることを示している。健康診断により健康の維持に問題が在ると診断された健診者に対して、生活習慣を変更し、それを維持するように動機づけることは難しい。しかし、本発明を用いることにより健康診断の結果から生活習慣病の危険性を予測し、医師が各健診者にライフスタイル等に関して助言する際の手助けとすることが可能となる。また、健診者個人にMetS等の発症の可能性を示すことにより、生活習慣を変える高い動機づけとなり、生活習慣の変更の契機となり得る。さらに、生活習慣を変更した場合のデータを入力し、その結果を予測することにより、MetS等の発症の可能性がどのように変化するかをシミュレートすることが可能であり、健診者の関心を強くすることが可能となる。
また、MetS等の生活習慣病の発生の可能性は未知の因子に影響されている可能性もある。しかし、データを更新しANNの学習を継続的に行うことにより、それらの問題に対応可能であり、これにより医療のコストを縮小することが可能となる。
【図１】
2012064087.tif 000003
【図２】
2012064087.tif 000004
【図３】
2012064087.tif 000005
【図４】
2012064087.tif 000006
【図５】
2012064087.tif 000007
【図６】
2012064087.tif 000008
【図７】
2012064087.tif 000009
【図８−１】
2012064087.tif 000010
【図８−２】
2012064087.tif 000011
【図９】
2012064087.tif 000012
【図１０】
2012064087.tif 000013
【図１１】
2012064087.tif 000014
【図１２】
2012064087.tif 000015